(57)【要約】【課題】表示画面を１つとできると共に、多機能化に適切に対応できる携帯端末を提供する。【解決手段】携帯端末１は、第１筐体１０、第２筐体２０、第３筐体３０の順に下から上へと重ねられてなる。第１筐体１０と第２筐体２０とをスライド可能に連結するスライド部４０と、第２筐体２０と第３筐体３０とを第１回転軸Ｃ１を中心として回転可能に連結する第１ヒンジ部５０と、第３筐体３０を、第１回転軸Ｃ１に対して略直交する第２回転軸Ｃ２を中心として第２筐体２０に対して回転可能とする第２ヒンジ部６０と、を備える。【選択図】図１
2011066477.tif 000002
【特許請求の範囲】
【請求項１】
第１筐体、第２筐体、第３筐体の順に下から上へと重ねられてなる携帯端末であって、
前記第１筐体と前記第２筐体とをスライド可能に連結するスライド部と、
前記第２筐体と前記第３筐体とを第１回転軸を中心として回転可能に連結する第１ヒンジ部と、
前記第３筐体を、前記第１回転軸に対して略直交する第２回転軸を中心として前記第２筐体に対して回転可能とする第２ヒンジ部と、を備えることを特徴とする携帯端末。
【請求項２】
前記第１回転軸は、前記スライド部のスライド方向に略平行であることを特徴とする請求項１に記載の携帯端末。
【請求項３】
前記第１筐体には、前記スライド部を利用したスライド移動によって、隠された状態と露出された状態とを切換可能な第１入力キー群が設けられ、
前記第２筐体には、前記第１ヒンジ部を利用した回転によって、隠された状態と露出された状態を切換可能な第２入力キー群が設けられ、
前記第３筐体には表示画面が設けられることを特徴とする請求項１又は２に記載の携帯端末。
【請求項４】
前記表示画面は略長方形状であり、
前記スライド部のスライド方向、及び、前記第１回転軸は、前記表示画面の長手方向に略平行であることを特徴とする請求項３に記載の携帯端末。
【発明の詳細な説明】
【技術分野】
【０００１】
本発明は、例えば携帯電話機、ＰＤＡ、スマートフォン等の携帯端末に関する。
【背景技術】
【０００２】
近年、例えばスマートフォン等によって代表されるように、携帯端末に多機能が要求されるようになっている。従来の携帯端末の中には、ディスプレイユニットが長手方向にのみにスライド移動して開閉されるものがあるが、このような構成の場合、機能の多様化に対応し難いといった問題があった。
【０００３】
このような問題を解消すべく、特許文献１においては、上下方向にスライド移動すると共に左右方向に折り畳まれるようにして、多様な機能を満たすことができる携帯端末が開示されている。図８は、従来の携帯端末の構成を示す概略斜視図で、図８（ａ）は携帯端末が閉じた状態、図８（ｂ）は第２筐体が第１筐体に対してスライド移動することによって開かれた状態、図８（ｃ）は第１筐体が第２筐体に対してヒンジを用いた回転を行うことによって開かれた状態を示している。
【０００４】
図８に示すように、従来の携帯端末１００は、第１筐体１１０と第２筐体１２０とを備える。第１筐体１１０は、前面にフロントディスプレイ１１３を有する上部筐体１１１と、上部筐体１１１に装着されてリアディスプレイ１１４を有する下部筐体１１２とから構成される。第２筐体１２０は、前面にキーパッド１２３を有する上部筐体１２１と、上部筐体１２１に装着されてバッテリが収納される下部筐体１２２とから構成される。
【０００５】
第１筐体１１０と第２筐体１２０との間には、スライドモジュール（図８には、その一部のみが示されている）が備えられており、これにより、図８（ｂ）や図８（ｃ）の開いた状態が実現されるようになっている。なお、スライドモジュールは、第１筐体１１０のヒンジ連結部１１５に回転可能に連結されるヒンジ部材１３１と、ヒンジ部材１３１が固定されるスライド部材（図示せず）と、スライド部材がスライド移動可能に装着されて第２筐体１２０に固定されるスライドレール（図示せず）とから構成される。
【０００６】
このような構成の場合、携帯端末１００を通信モードで使用する場合にはスライド機構を用いてキーパッド１２３の一部を露出させた状態（図８（ｂ）の状態）とし、動画像鑑賞やゲームモードで使用する場合にはヒンジを用いた回転動作により全てのキーパッド１２３を露出させた状態（図８（ｃ）の状態）とするといった使い方ができる。このために、従来の携帯端末１００は多様な機能を満たすことができるといった利点を有する。
【先行技術文献】
【特許文献】
【０００７】
【特許文献１】特開２００７−１１６７０９号公報
【発明の概要】
【発明が解決しようとする課題】
【０００８】
しかしながら、特許文献１の構成の場合、次のような点で改善の余地があると考えられる。
【０００９】
従来の携帯端末１００において、図８（ｂ）と図８（ｃ）の開いた状態では、使用時のディスプレイ１１３、１１４の向きが異なるものと考えられる。すなわち、図８（ｂ）の状態ではディスプレイ１１３を縦長の状態で使用し、図８（ｃ）の状態ではディスプレイ１１４を横長の状態で使用するものと考えられる。にもかかわらず、図８（ｂ）と図８（ｃ）の状態でキーパッド１２３を共用する構成となっているため、いずれかの状態でキーパッド１２３が使用し難くなると考えられる。
【００１０】
また、機能の多機能化の傾向から、キーパッド１２３のキー数をなるべく増やすことが望まれるが、従来の携帯端末１００ではキー数を更に増やすことは難しい。また、従来の携帯端末１００は、高価なディスプレイ１１３、１１４を２つ搭載する構成であり、コスト面で不利である。
【００１１】
そこで、本発明の目的は、表示画面を１つとできると共に、多機能化に適切に対応できる携帯端末を提供することである。
【課題を解決するための手段】
【００１２】
上記目的を達成するために本発明の携帯端末は、第１筐体、第２筐体、第３筐体の順に下から上へと重ねられてなる携帯端末であって、前記第１筐体と前記第２筐体とをスライド可能に連結するスライド部と、前記第２筐体と前記第３筐体とを第１回転軸を中心として回転可能に連結する第１ヒンジ部と、前記第３筐体を、前記第１回転軸に対して略直交する第２回転軸を中心として前記第２筐体に対して回転可能とする第２ヒンジ部と、を備えることを特徴としている。
【００１３】
本構成では、携帯端末が３つの筐体を備えると共に、スライド部によるスライド移動、及び、２種類のヒンジ部による回転動作が可能となっている。このために、３つの筐体のうち、２つを入力キーが設けられる筐体とし、残り１つを表示画面が１つ設けられる筐体とすることで、複数の状態への切り換えが可能な多機能の携帯端末を実現できる。そして、本構成の携帯端末は入力キーが設けられる筐体を２つとできるために、多機能化に対応して入力キーの数を増やし易いと共に、表示画面を使用する向きの変化（表示画面を縦長で使用するか、横長で使用するか）に対しても対応しやすい。
【００１４】
上記構成の携帯端末において、前記第１回転軸は、前記スライド部のスライド方向に略平行であるのが好ましい。
【００１５】
上記構成の携帯端末において、前記第１筐体には、前記スライド部を利用したスライド移動によって、隠された状態と露出された状態とを切換可能な第１入力キー群が設けられ、前記第２筐体には、前記第１ヒンジ部を利用した回転によって、隠された状態と露出された状態を切換可能な第２入力キー群が設けられ、前記第３筐体には表示画面が設けられることとしてもよい。
【００１６】
更に上記構成の携帯端末において、前記表示画面は略長方形状であり、前記スライド部によるスライド方向、及び、前記第１回転軸は、前記表示画面の長手方向に略平行であることとしてもよい。
【００１７】
このように構成した携帯端末は、例えば次のような使用方法ができる。すなわち、本構成の携帯端末は、長手方向へのスライド移動によって、例えばテンキーとして構成される第１入力キー群を露出させて電話として使用できる。また、本構成の携帯端末は、第１ヒンジ部による回転によって第２筐体に対して第３筐体を開いて、例えばパーソナルコンピュータ（パソコン）のフルキーボードと同様の構成とされる第２入力キー群を露出させ、たくさんの文字を入力する作業（メール作成作業等）を行える。なお、第３筐体は第２筐体に対して回転可能であるために、この回転動作を利用して、文字の入力作業中も表示画面を見られるようにできる。更に、携帯端末の入力キー群及び表示画面を隠した状態とし、コンパクト且つ表示画面が保護された状態で携帯端末を持ち運ぶといった使い方もできる。
【発明の効果】
【００１８】
本発明によれば、表示画面を１つとできると共に、多機能化に適切に対応できる携帯端末を提供可能である。
【図面の簡単な説明】
【００１９】
【図１】本実施形態の携帯端末の概略構成を示す分解斜視図
【図２】本実施形態の携帯端末の第１使用形態を示す概略斜視図
【図３】本実施形態の携帯端末の第２使用形態を示す概略斜視図
【図４】本実施形態の携帯端末の第３使用形態を示す概略斜視図
【図５】本実施形態の携帯端末の第４使用形態を示す概略斜視図
【図６】本発明の他の実施形態を説明するための図
【図７】本発明の他の実施形態を説明するための図
【図８】従来の携帯端末の構成を示す概略斜視図
【発明を実施するための形態】
【００２０】
以下、本発明の携帯端末の実施形態について、図面を参照しながら詳細に説明する。なお、本発明の携帯端末は、例えば、携帯電話機、ＰＨＳ（Personal Handy-phone System）、ＰＤＡ（Personal Digital Assistant）、スマートフォン、ＰＣ（Personal Computer）、携帯型ゲーム機などとして実現される。
【００２１】
図１は、本実施形態の携帯端末の概略構成を示す分解斜視図である。図１に示すように、本実施形態の携帯端末１は、簡易操作部筐体１０と、簡易操作部筐体１０の上に重ねられる繁雑操作部筐体２０と、繁雑操作部筐体２０の上に重ねられる表示部筐体３０と、を備えている。なお、簡易操作部筐体１０、繁雑操作部筐体２０、表示部筐体３０は、順に、本発明の第１筐体、第２筐体、第３筐体の実施形態である。
【００２２】
簡易操作部筐体１０は例えば合成樹脂や金属によって形成され、その形状は略直方体形状となっている。この簡易操作部筐体１０の上面１０ａの略半分の領域には、第１入力キー群１１が設けられている。ユーザは、この第１入力キー群１１を用いて、比較的少ない情報量の入力を行えばよい簡易操作を行えるようになっている。
【００２３】
なお、図１に示す第１入力キー群１１の構成は一例であり、携帯端末１が有する機能に合わせて、第１入力キー群１１の構成は適宜変更してよい。
【００２４】
繁雑操作部筐体２０は例えば合成樹脂や金属によって形成され、その形状は略直方体形状となっている。本実施形態の携帯端末１においては、簡易操作部筐体１０及び繁雑操作部筐体２０を上方から平面視した場合、いずれも略長方形状であり、その縦及び横の長さは略同一となっている。
【００２５】
この繁雑操作部筐体２０の上面２０ａの大部分の領域には、第２入力キー群２１が設けられている。この第２入力キー群２１が有する入力キーの数は、簡易操作部筐体１０に設けられる第１入力キー群１１が有する入力キーの数より多くなっている。ユーザは、この第２入力キー群１１を用いて、比較的多くの情報量を入力する繁雑操作を行えるようになっている。
【００２６】
表示部筐体３０は例えば合成樹脂や金属によって形成され、その形状は略直方体形状となっている。本実施形態の携帯端末１においては、上方から平面視した場合に、この表示部筐体３０も簡易操作部筐体１０と、その縦及び横の長さが略同一となっている。表示部筐体３０には、その一面３０ａに略長方形状の表示画面３１が配置されるように、例えば液晶ディスプレイ等で構成される表示ユニットが搭載されている。
【００２７】
簡易操作部筐体１０と繁雑操作部筐体２０との間には、簡易操作部筐体１０と繁雑操作部筐体２０とを互いにスライド可能に連結するスライド部４０が配置されている。スライド部４０は、簡易操作部筐体１０の短手方向に平行な方向の両端部に、平面視略コの字状に形成される係合凹部４１ａが形成される第１プレート４１を有する。また、スライド部４０は、第１プレート４１の係合凹部４１ａに対応するように、２つの端部に係合突起４２ａが形成される第２プレート４２とを有する。
【００２８】
第２プレート４２の係合突起４２ａを第１プレート４１の係合凹部４１ａに嵌め込むことによって、第１プレート４１と第２プレート４２とは互いにスライド可能に連結される。第１プレート４１は、簡易操作部筐体上面１０ａの第１入力キー群１１が設けられない略半分の領域に固定配置される。また、第２プレート４２は、繁雑操作部筐体２０の下面２０ｂの広い範囲に亘って固定配置される。このため、簡易操作部筐体１０と繁雑操作部筐体２０とは、互いにスライド可能に連結されることになる。スライド範囲については、例えば適当な位置にストッパー部材を配置することで調整すればよい。
【００２９】
なお、閉じた状態から開いた状態へ、或いは開いた状態から閉じた状態へとスライド移動にて形態変更する構成を採用するにあたっては、開又は閉方向に押すと、その後は自動でスライド移動するといった構成にするのが好ましい。このため、スライド部４０には、このような自動スライドを可能とする付勢ユニットが含まれるのが好ましい。なお、ここでは、閉じた状態とは繁雑操作部筐体２０によって第１入力キー群１１が隠された状態を指し、開いた状態とは第１入力キー群１１が露出された状態を指している。
【００３０】
繁雑操作部筐体２０の長手方向の一側面には、略円柱状の第１軸部５１が設けられている。この第１軸部５１は繁雑操作部筐体２０に対して固定状態であればよく、繁雑操作部筐体２０と一体的に設けてもよいし、別部材を繁雑操作部筐体２０に固定配置してもよい。
【００３１】
一対の軸受け部５２ａ、及び、この一対の軸受け部５２ａを連結する連結部５２ｂからなる回転部材５２は、一対の軸受け部５２ａが第１軸部５１の両端に嵌め込まれることによって、第１軸部５１に対して回転可能に支持されている。なお、この回転部材５２は、第１軸部５１の中心を通る第１回転軸Ｃ１を中心として回転可能となっている。
【００３２】
また、回転部材５２の連結部５２ｂには、表示部筐体３０に固定配置される第２軸部５３が、その中心を通る第２回転軸Ｃ２を中心として回転可能に支持されている。第２軸部５３は、表示部筐体３０と一体的に設けられてもよいし、表示部筐体３０とは別部材としてもよい。なお、第２軸部５３の中心を通る第２回転軸Ｃ２が第１回転軸Ｃ１に対して略直交するように第２軸部５３は設けられている。
【００３３】
このため、繁雑操作部筐体２０と表示部筐体３０とは、第１軸部５１と回転部材５２とを用いて構成される第１ヒンジ部５０によって、第１回転軸Ｃ１を中心として回転可能に連結された状態となっている。また、表示部筐体３０は、第２軸部５３と回転部材５２とを用いて構成される第２ヒンジ部６０によって、第２回転軸Ｃ２を中心として繁雑操作部筐体２０に対して回転可能となっている。
【００３４】
なお、本実施形態では、第１ヒンジ部５０及び第２ヒンジ部６０を用いた繁雑操作部筐体２０に対する表示部筐体３０の回転範囲は、いずれも略１８０°の範囲としているが、この回転範囲は適宜変更可能である。回転範囲については、例えば適当な位置にストッパー部を設けて調整すればよい。
【００３５】
また、第１ヒンジ部５０は、繁雑操作部筐体２０に対する表示部筐体３０の角度を任意の位置で止められるフリーストップ機能を有する構成とするのが好ましい。第２ヒンジ部６０によって繁雑操作部筐体２０に対して回転される表示部筐体３０は、回転角が０°と１８０°の位置で使うのが通常であるため、必ずしもフリーストップ機能は必要ない。ただし、ユーザが支えなくても回転角が０°及び１８０°の位置を維持できるように、第２ヒンジ部６０を構成するのが好ましい。
【００３６】
ところで、本実施形態の携帯端末１においては、簡易操作部筐体１０及び繁雑操作部筐体２０に設けられる入力キー群１１、２１によって入力された情報を表示部筐体３０に送る必要がある。このために、簡易操作部筐体１０内に設けられる電子回路（図示せず）をフレキブルプリント基板（図示せず）で繁雑操作部筐体２０内に設けられる電子回路（図示せず）に電気的に接続している。また、繁雑操作部筐体２０内に設けられる電子回路を、その一部が第１ヒンジ部５０及び第２ヒンジ部６０に組み込まれるフレキシブルプリント基板（図示せず）で表示部筐体３０内に設けられる電子回路（図示せず）に電気的に接続している。
【００３７】
次に、以上のように構成される本実施形態の携帯端末１の各種使用形態を示しながら、その動作について説明する。
【００３８】
図２は、本実施形態の携帯端末の第１使用形態を示す概略斜視図である。この第１使用形態では、簡易操作部筐体１０の四隅と繁雑操作部筐体２０の四隅とが平面視略同一位置となるように重ねられ、簡易操作部筐体１０に設けられる第１入力キー群１１は繁雑操作部筐体２０によって覆い隠された状態となっている。また、繁雑操作部筐体２０の四隅と表示部筐体３０の四隅とについても同様に重ねられ、繁雑操作部筐体２０に設けられる第２入力キー群２１が表示部筐体３０によって覆い隠された状態となっている。なお、表示部筐体３０は、表示画面３１が設けられる面３０ａ（図１参照）の裏面３０ｂが外面に向けられた状態（表示画面３１と第２入力キー群２１が対向した状態）となっている。
【００３９】
この第１使用形態は、入力キー群１１、２１が覆い隠された状態であり、例えば携帯端末１を使用せずに持ち運ぶ場合等に便利な状態である。この第１使用形態は表示画面３１が内側に隠された状態であるために、持ち運び時に表示画面３１を保護できるといった利点も有する。
【００４０】
図３は、本実施形態の携帯端末の第２使用形態を示す概略斜視図である。この状態は、図２に示す第１使用形態から、表示部筐体３０を繁雑操作部筐体２０に対して第１回転軸Ｃ１（図１参照）を中心として回転することによって得られる。換言すると、この回転動作は、第１軸部５１に対して、表示部筐体３０が連結される回転部材５２を回転させることによって得られる。すなわち、この回転動作は、第１軸部５１及び回転部材５２を用いて構成される第１ヒンジ部５０によって可能となる。
【００４１】
この第２使用形態は、多くの入力キーを有する第２入力キー群２１が露出された状態であり、更に表示画面３１を見ることもできる。このため、この第２使用形態は、例えば正面にある表示画面３１（横長状態の表示画面）を見ながら手前にある第２入力キー群２１を用いて、長文のメールを作成するといった使い方等に便利な状態である。このために、本実施形態の携帯端末１においては、第２入力キー群２１を、例えばパーソナルコンピュータのフルキーボードと同様の入力キー群とするのが好ましい。
【００４２】
図４は、本実施形態の携帯端末の第３使用形態を示す概略斜視図である。この状態は、図３に示す第２使用形態から、表示部筐体３０を繁雑操作部筐体２０に対して第２回転軸Ｃ２（図１参照）を中心として１８０°回転し、その後、表示部筐体３０を繁雑操作部筐体２０に対して第１回転軸Ｃ１を中心として回転して閉じた状態とすることによって得られる。ここで、閉じた状態とは、繁雑操作部筐体２０の四隅と表示部筐体３０の四隅とが平面視略同一位置となるように重ねられ、繁雑操作部筐体２０に設けられる第２入力キー群２１が覆い隠された状態を指している。
【００４３】
上述の回転動作を別の表現で説明すると、第２使用形態から、まず、回転部材５２に対して、表示部筐体３０に固定される第２軸部５３（図１参照）を１８０°回転させる。その後、第１軸部５１に対して、表示部筐体３０が連結される回転部材５２を閉じた状態となる方向に回転させることによって、第３使用形態は得られる。すなわち、第２使用形態から第３使用形態を得るにあたっては、第２軸部５３及び回転部材５２を用いて構成される第２ヒンジ部６０（図１参照）、第１軸部５１及び回転部材５２を用いて構成される第１ヒンジ部５０の機能を順に使用することになる。
【００４４】
この第３使用形態では、ユーザは表示画面３１を見ることはできるが、入力キー群１１、２１は隠された状態であるために入力操作はできない。この第３使用形態は、例えば、携帯端末１を使用しない待機状態として使用したり、動画像鑑賞の場合のように入力キー群１１、２１を隠した状態で表示画面３１を見たりするといった使い方に便利な状態である。
【００４５】
図５は、本実施形態の携帯端末の第４使用形態を示す概略斜視図である。この状態は、図４に示す第３使用形態から、簡易操作部筐体１０を繁雑操作部筐体２０に対して（繁雑操作部筐体２０を簡易操作部筐体１０に対して、と言い換えてもよい）長手方向にスライド移動することによって得られる。換言すると、このスライド動作は、簡易操作部筐体１０に固定される第１プレート４１を、繁雑操作部筐体２０に固定される第２プレート４２に対して長手方向にスライド移動することによって得られる。すなわち、このスライド動作は、第１プレート４１及び第２プレート４２を用いて構成されるスライド部４０によって可能となる。
【００４６】
この第４使用形態は、比較的少ない入力キーを有する第１入力キー群１１が露出された状態であり、更に表示画面３１を見ることもできる。このため、この第４使用形態は、例えば、表示画面３１（縦長状態の表示画面）を見ながら手前にある第１入力キー群１１を用いて、電話をかけたり、携帯端末１の設定変更をしたりといった使い方に便利な状態である。第１入力キー群１１は簡易操作のために備えられるものであるために、例えばテンキーのような形態としてもよい。
【００４７】
以上のように、本実施形態の携帯端末１は、入力キー群が設けられる筐体を２つ有するために、携帯端末の機能の多機能化に合わせて入力キー数を増やし易い。そして、２つの筐体に設けられる入力キー群を異なる方法で隠された状態から露出された状態とする構成であるために、表示画面３１が縦長状態で使用される場合と、横長状態で使用される場合とのそれぞれに対応した入力キー群を用意しやすい。また、携帯端末１が有する表示画面が１つであるにもかかわらず、多様な使用ができるといった利点も有する。
【００４８】
以上に示した実施形態は本発明が適用される携帯端末の例示であって、本発明が適用される携帯端末の実施形態は以上に示した構成に限定されないのは言うまでもない。
【００４９】
例えば、携帯端末１は、以上に示した４つの使用形態に加えて、次のような使用形態に切り換えられるようにしてもよい。すなわち、図３に示す第２使用形態において、簡易操作部筐体１０を繁雑操作部筐体２０に対してスライド移動して、第１入力キー群１１を露出させた形態に切り換えられるようにしてもよい。これにより、多数の入力キーを用いて行う繁雑操作の幅が広がる。
【００５０】
ただし、このような使い方をする場合には、第１入力キー群１１について、表示画面３１を横長状態とした場合と縦長状態とした２つの場合に対応する構成とする必要がある。具体的には、例えば、入力キー上、或いは、入力キー間に、表示画面３１の縦長及び横長に対応した表示を施す等の構成を採用することが挙げられる。
【００５１】
また、以上に示した実施形態では、スライド部４０を用いた筐体のスライド方向と、筐体が第１ヒンジ部５０によって回転される際の回転軸（第１回転軸Ｃ１）とが、略平行である構成とした。しかし、図６に示す携帯端末２のように、筐体のスライド方向Ｓと第１回転軸Ｃ１とが、略直交する構成としても構わない。
【００５２】
また、本発明の第１ヒンジ部の構成は、以上に示した実施形態に限定されない。すなわち、図７に示すように、第１ヒンジ部５０は、繁雑操作部筐体２０に固定配置される一対の軸受け部５４と、この一対の軸受け部５４に対して回転可能に支持される軸部材５５とを用いて構成してもよい。この場合、第２ヒンジ部６０は、図７に示すように、表示部筐体３０に固定される軸部５６（本実施形態の第２軸部５３と同様）と、この表示部筐体３０に固定される軸部５６を回転可能に支持する、第１ヒンジ部６０を構成する上述の軸部材５５と、を用いて構成すればよい。
【００５３】
また、以上に示した実施形態では、第１ヒンジ部５０を繁雑操作部筐体２０の長手方向の一側面に設ける構成としたが、この第１ヒンジ部５０を繁雑操作部筐体２０の短手方向に設ける構成としても構わない。この場合は、繁雑操作部筐体２０に対する簡易操作部筐体１０のスライド方向は短手方向としてよい。
【産業上の利用可能性】
【００５４】
本発明は、例えば携帯電話機、ＰＤＡ、スマートフォン等のモバイル機器に代表される携帯端末に対して好適である。
【符号の説明】
【００５５】
１    携帯端末
１０  簡易操作部筐体（第１筐体）
１１  第１入力キー群
２０  繁雑操作部筐体（第２筐体）
２１  第２入力キー群
３０  表示部筐体（第３筐体）
３１  表示画面
４０  スライド部
４１  第１プレート（スライド部の一部）
４２  第２プレート（スライド部の一部）
５０  第１ヒンジ部
５１  第１軸部（第１ヒンジ部の一部）
５２  回転部材（第１ヒンジ部の一部、且つ、第２ヒンジ部の一部）
５３  第２軸部（第２ヒンジ部の一部）
【図１】
2011066477.tif 000003
【図２】
2011066477.tif 000004
【図３】
2011066477.tif 000005
【図４】
2011066477.tif 000006
【図５】
2011066477.tif 000007
【図６】
2011066477.tif 000008
【図８】
2011066477.tif 000009
【図７】
2011066477.tif 000010